(57)【要約】【課題】照明ユニットの異常及びイオン放出ユニットの異常をユーザに速やかに認識させることができる照明装置を提供する。【解決手段】照明ユニット１００と、イオン放出ユニット２００とを備え、照明ユニット１００は、第１の電源・制御ブロック１１０と、第１の照明態様で発光する照明用光源１２０とを有し、イオン放出ユニット２００は、第２の電源・制御ブロック２１０と、イオン生成ブロック２２０と、イオン生成ブロック２２０の動作状態を示す第１の動作表示態様で発光する表示用光源２３０とを有し、第１の電源・制御ブロック１１０は、イオン放出ユニット２００で異常が発生した場合に、第１の照明態様とは異なる第２の照明態様で照明用光源１２０を発光させ、第２の電源・制御ブロック２１０は、照明ユニット１００で異常が発生した場合に、第１の動作表示態様とは異なる第２の動作表示態様で表示用光源２３０を発光させる。【選択図】図２
2018055939.tif 000002
【特許請求の範囲】
【請求項１】
照明光を照射する照明ユニットと、
イオンを放出するイオン放出ユニットとを備え、
前記照明ユニットは、第１の電源・制御ブロックと、前記第１の電源・制御ブロックから供給される電力によって第１の照明態様で発光する照明用光源とを有し、
前記イオン放出ユニットは、第２の電源・制御ブロックと、前記第２の電源・制御ブロックから供給される電力によって動作するイオン生成ブロックと、前記イオン生成ブロックの動作状態を示す第１の動作表示態様で発光する表示用光源とを有し、
前記第１の電源・制御ブロックは、前記イオン放出ユニットで異常が発生した場合に、前記第１の照明態様とは異なる第２の照明態様で前記照明用光源を発光させ、
前記第２の電源・制御ブロックは、前記照明ユニットで異常が発生した場合に、前記第１の動作表示態様とは異なる第２の動作表示態様で前記表示用光源を発光させる、
照明装置。
【請求項２】
前記イオン放出ユニットは、さらに、前記イオン生成ブロックで生成されたイオンを送風する送風機を備える、
請求項１に記載の照明装置。
【請求項３】
さらに、前記送風機により吸引される外気が通過するフィルタを備え、
前記イオン放出ユニットの異常は、前記フィルタが目詰まり状態になっていることである、
請求項２に記載の照明装置。
【請求項４】
前記イオン放出ユニットの異常は、前記イオン放出ユニット内の温度が所定の閾値を超えたこと、又は、前記イオン放出ユニットが故障したことである、
請求項１又は２に記載の照明装置。
【請求項５】
前記イオン放出ユニットの異常は、前記イオン放出ユニットの寿命残存期間が所定の閾値を下回ったことである、
請求項１又は２に記載の照明装置。
【請求項６】
前記照明ユニットの異常は、前記照明ユニット内の温度が所定の閾値を超えたこと、又は、前記照明ユニットが故障したことである、
請求項１〜５のいずれか１項に記載の照明装置。
【請求項７】
前記照明ユニットの異常は、前記照明ユニットの寿命残存期間が所定の閾値を下回ったことである、
請求項１〜５のいずれか１項に記載の照明装置。
【請求項８】
前記第２の照明態様は、前記第１の照明態様の明るさとは異なる明るさ、前記第１の照明態様の光色とは異なる光色、点滅又はフラッシュ点灯である、
請求項１〜７のいずれか１項に記載の照明装置。
【請求項９】
前記第２の照明態様は、前記第１の照明態様の明るさよりも暗い明るさである、
請求項１〜７のいずれか１項に記載の照明装置。
【請求項１０】
前記第２の動作表示態様は、前記第１の照明態様の明るさとは異なる明るさ、前記第１の照明態様の光色とは異なる光色、点滅又はフラッシュ点灯である、
請求項１〜９のいずれか１項に記載の照明装置。
【発明の詳細な説明】
【技術分野】
【０００１】
本発明は、照明装置に関し、特に、イオン発生機能を備える照明装置に関する。
【背景技術】
【０００２】
従来より、イオンを放出することができる照明装置が知られている。例えば、特許文献１には、空気中に浮遊する、細菌やカビ菌、有害物質などを分解するために、プラズマイオン及びマイナスイオンを放出することができる照明装置が開示されている。
【先行技術文献】
【特許文献】
【０００３】
【特許文献１】特開２０１０−２９５５２号公報
【発明の概要】
【発明が解決しようとする課題】
【０００４】
イオンを放出することができる照明装置は、例えば、照明光を照射する照明ユニットとイオンを放出するイオン放出ユニットとを備える。
【０００５】
しかしながら、イオンを放出することができる従来の照明装置では、照明ユニットが正常であればイオン放出ユニットに異常が発生していても、ユーザはイオン放出ユニットに異常が発生していることに気が付きにくい。逆に、イオン放出ユニットが正常であれば照明ユニットに異常が発生していても、ユーザが照明ユニットに異常が発生していることに気が付きにくい。つまり、照明ユニット及びイオン放出ユニットの一方が正常であれば、他方が異常であってもその異常に気が付きにくい。
【０００６】
本発明は、このような課題を解決するためになされたものであり、照明ユニットの異常及びイオン放出ユニットの異常をユーザに速やかに認識させることができる照明装置を提供することを目的とする。
【課題を解決するための手段】
【０００７】
上記目的を達成するために、本発明に係る照明装置の一態様は、照明光を照射する照明ユニットと、イオンを放出するイオン放出ユニットとを備え、前記照明ユニットは、第１の電源・制御ブロックと、前記第１の電源・制御ブロックから供給される電力によって第１の照明態様で発光する照明用光源とを有し、前記イオン放出ユニットは、第２の電源・制御ブロックと、前記第２の電源・制御ブロックから供給される電力によって動作するイオン生成ブロックと、前記イオン生成ブロックの動作状態を示す第１の動作表示態様で発光する表示用光源とを有し、前記第１の電源・制御ブロックは、前記イオン放出ユニットで異常が発生した場合に、前記第１の照明態様とは異なる第２の照明態様で前記照明用光源を発光させ、前記第２の電源・制御ブロックは、前記照明ユニットで異常が発生した場合に、前記第１の動作表示態様とは異なる第２の動作表示態様で前記表示用光源を発光させる。
【発明の効果】
【０００８】
本発明によれば、照明ユニットの異常及びイオン放出ユニットの異常をユーザに速やかに認識させることができる。
【図面の簡単な説明】
【０００９】
【図１】実施の形態に係る照明装置を天井に設置したときの状態を示す斜視図である。
【図２】実施の形態に係る照明装置の構成を示すブロック図である。
【図３】実施の形態に係る照明装置における照明用光源が第１の照明態様及び第２の照明態様で発光する様子を示す図である。
【図４】実施の形態に係る照明装置における表示用光源が第２の動作表示態様で発光する様子を示す図である。
【発明を実施するための形態】
【００１０】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。したがって、各図において縮尺等は必ずしも一致していない。各図において、実質的に同一の構成に対しては同一の符号を付しており、重複する説明は省略又は簡略化する。
【００１２】
（実施の形態）
実施の形態に係る照明装置１について、図１及び図２を用いて説明する。図１は、実施の形態に係る照明装置１を天井に設置したときの状態を示す斜視図である。図２は、実施の形態に係る照明装置１の構成を示すブロック図である。
【００１３】
照明装置１は、例えば、住宅や店舗等の建物の天井又は壁等の造営材に配設される照明器具であり、室内等の空間領域を明るくするために照明光を照射する。本実施の形態における照明装置１は、図１に示すように、天井に設置される。この場合、照明装置１は、天井に設けられた引っ掛けシーリングに接続固定されていてもよいし、天井面に直付け固定されていてもよいし、天井に形成された貫通孔に埋込配設されていてもよい。
【００１４】
照明装置１は、例えば、玄関、シューズクローク、ウォーキングクローゼット、トイレ又は階段の踊り場等の天井又は壁面に設置されるが、これに限るものではない。後述するように、特に、照明装置１は、脱臭・消臭及び除菌する機能を有するので、トイレ等の臭いが気になる箇所に設置されるとよい。
【００１５】
図１に示すように、照明装置１は、筐体１０と、筐体１０の前方に設けられた透光カバー２０とを備える。筐体１０は、例えば扁平円筒形状である。筐体１０の内部には照明用光源１２０が配置されており、照明用光源１２０から照射される光は透光カバー２０を透過して照明光として放出される。透光カバー２０は、例えば光を散乱拡散させる拡散カバーである。この場合、透光カバー２０から放出される照明光は拡散光である。
【００１６】
また、本実施の形態における照明装置１は、イオン発生機能を備える照明器具であり、イオンを放出する。筐体１０の側周面には、周方向に沿って延在する複数のスリット１１が形成されており、発生したイオンは、スリット１１から照明装置１の外部に放出される。
【００１７】
照明装置１から放出されるイオンは、例えば、ナノイー（登録商標）と呼ばれるマイナスイオンである。ナノイーは、ナノメータサイズ（例えば直径約５〜２０ｎｍ）の微粒子水で包まれたマイナスイオンであり、ＯＨラジカルを豊富に含む。ナノイーは、空気中や繊維の奥に入り込んだアレルゲン（アレル物質）の活動を抑制する作用を有するとともに、脱臭・消臭作用、除菌作用及び抗ウイルス作用を有する。したがって、ナノイーが室内に拡散することにより、例えば室内の空間領域又はカーテン等を脱臭・消臭したり、室内に浮遊又は付着しているアレルゲンやウイルス等を不活化したり、室内に浮遊又は付着しているカビや細菌等を除菌したりする。特に、ナノイーは、反応性が高く、且つ、臭い成分に作用して無臭成分に分解する能力を持つ。さらに、ナノイーは、髪や肌に優しい弱酸性であり、人にとっても有用である。
【００１８】
なお、ナノイーは、マイナスイオン単独で存在する場合よりも空気中に長時間（マイナスイオンの約６倍の寿命で）存在することが可能であり、且つ、ナノメータサイズと非常に小さいため、照明装置１が設置される空間領域全体に万遍無く拡散し且つ長時間浮遊することができる。
【００１９】
このように、照明装置１は、空間領域を照らすために照明光を照射するだけではなく、その空間領域にイオンを放出する。照明装置１において、照明用光源１２０を発光させるのに必要な電力は、イオンを発生させるのに必要な電力よりも大きい。つまり、本実施の形態では、照明装置１のメイン機能は照明光を照射することであり、イオンの放出は補助機能である。一例として、照明用光源１２０を発光させるのに必要な電力は１０Ｗで、イオンを発生させるのに必要な電力は５Ｗである。なお、メイン機能と補助機能を入れ替えて、照明装置１のメイン機能をイオンを放出することにし、補助機能を照明光を照射することになるように構成してもよい。
【００２０】
図２に示すように、照明装置１は、照明光を照射する照明ユニット１００と、イオンを放出するイオン放出ユニット２００と、端子台３００とを備える。照明ユニット１００、イオン放出ユニット２００及び端子台３００は、図１に示される筐体１０内に収納されている。
【００２１】
照明ユニット１００は、照明装置１が設置された空間領域に照明光を照射させる装置であり、第１の電源・制御ブロック１１０と、照明用光源１２０と、照明センサブロック１３０とを有する。
【００２２】
第１の電源・制御ブロック１１０は、照明用の電源・制御ブロックであり、照明用光源１２０を発光させるための電力を生成する電源機能と、照明用光源１２０の照明態様（発光状態）を制御する制御機能とを有する。
【００２３】
第１の電源・制御ブロック１１０は、例えば、端子台３００から供給される交流電力を直流電力に変換し、この直流電力が照明用光源１２０に供給されることで照明用光源１２０が発光する。第１の電源・制御ブロック１１０は、Ｈ端子（第１端子）、Ｎ端子（第２端子）及びＬＯＤ端子（第３端子）を有している。Ｈ端子及びＮ端子は、端子台３００に接続されており、端子台３００から第１の電源・制御ブロック１１０に供給される交流電力はＨ端子及びＮ端子に入力される。ＬＯＤ端子は、第２の電源・制御ブロック２１０に接続されている。
【００２４】
また、第１の電源・制御ブロック１１０は、照明用光源１２０の調光制御や調色制御を行ったり照明用光源１２０の点滅・フラッシュ点灯制御を行ったりすることで照明用光源１２０の照明態様を変更する。
【００２５】
第１の電源・制御ブロック１１０は、実装基板と、実装基板に実装された複数の回路素子によって構成されている。複数の回路素子には、照明用光源１２０を発光させるための電力を生成する電源回路を構成する電源回路素子と、照明用光源１２０の照明態様を制御する制御回路を構成する制御回路素子が含まれる。
【００２６】
照明用光源１２０は、照明装置１の光源部となる光源モジュールであり、照明装置１が空間領域を照らすための照明光として、例えば白色光を発する。本実施の形態において、照明用光源１２０は、ＬＥＤ（Ｌｉｇｈｔ  Ｅｍｉｔｔｉｎｇ  Ｄｉｏｄｅ）を光源とするＬＥＤモジュールである。一例として、照明用光源１２０は、ＣＯＢ（Ｃｈｉｐ  Ｏｎ  Ｂｏａｒｄ）タイプであり、基板と、基板に実装された複数のＬＥＤチップと、ＬＥＤチップを封止する封止部材とを有する。
【００２７】
基板としては、セラミックス基板、樹脂基板又はメタルベース基板等が用いられる。ＬＥＤチップは、例えば、単色の可視光を発するベアチップである。ＬＥＤチップとしては、通電されれば青色光を発する青色ＬＥＤチップである。封止部材は、例えば透光性樹脂である。本実施の形態における封止部材は、ＬＥＤチップからの光を波長変換する波長変換材として蛍光体を含んでいる。封止部材は、例えば、シリコーン樹脂に蛍光体を分散させた蛍光体含有樹脂である。蛍光体粒子としては、ＬＥＤチップが青色ＬＥＤチップである場合、白色光を得るために、例えばＹＡＧ系の黄色蛍光体を用いることができる。本実施の形態において、封止部材は、全てのＬＥＤチップを一括封止するように円形状に形成されているが、複数のＬＥＤチップを列ごとにライン状に封止してもよいし、各ＬＥＤチップを１つずつ個別に封止してもよい。
【００２８】
なお、照明用光源１２０は、調光可能な構造及び調色可能な構造を有する。照明用光源１２０は、ねじ又は接着剤等の固定部材によって筐体１０内の所定の位置に固定される。
【００２９】
照明用光源１２０は、照明装置１から照明光が照射されるように、第１の電源・制御ブロック１１０から供給される電力によって所定の照明態様で発光する。例えば、照明用光源１２０は、イオン放出ユニット２００が正常に動作している場合、第１の電源・制御ブロック１１０から供給される電力によって第１の照明態様で発光する。
【００３０】
具体的には、第１の電源・制御ブロック１１０から供給される直流電力によって照明用光源１２０の青色ＬＥＤチップが発光する。これにより、青色ＬＥＤチップの青色光の一部を黄色蛍光体が吸収して励起されて黄色蛍光体から黄色光が放出される。そして、この黄色光と黄色蛍光体に吸収されなかった青色光とが混ざって白色光となり、照明用光源１２０からは白色光が放出される。本実施の形態において、照明用光源１２０の第１の照明態様は、照明用光源１２０が１００％の光出力で発光（全灯）する態様である。
【００３１】
また、照明用光源１２０は、イオン放出ユニット２００で異常が発生した場合、第１の電源・制御ブロック１１０から供給される電力によって、第１の照明態様とは異なる第２の照明態様で発光する。
【００３２】
照明用光源１２０の第２の照明態様は、第１の照明態様の明るさとは異なる明るさ、第１の照明態様の光色とは異なる光色、点滅、又は、フラッシュ点灯等である。この場合、第１の電源・制御ブロック１１０によって照明用光源１２０を調光することで、第１の照明態様の明るさとは異なる明るさの第２の照明態様で照明用光源１２０を発光させることができる。また、第１の電源・制御ブロック１１０によって照明用光源１２０を調色することによって、第１の照明態様の光色（色度、色温度）とは異なる光色の第２の照明態様で照明用光源１２０を発光させることもできる。また、第１の電源・制御ブロック１１０から照明用光源１２０に点滅・フラッシュ点灯制御信号を送信することで、第２の照明態様として照明用光源１２０を規則的に点滅させることができる。
【００３３】
本実施の形態において、照明用光源１２０の第２の照明態様は、第１の照明態様の明るさよりも暗い明るさとしている。この場合、例えば、第１の電源・制御ブロック１１０によって照明用光源１２０を調光して減光することで、照明用光源１２０は第２の照明態様として、第１の照明態様で発光する場合と比べて低い光出力の照明光を照射する。
【００３４】
照明センサブロック１３０は、例えば、人感センサ及び照度センサを有するセンサユニットである。人感センサは、照明装置１の周囲における人の存在の有無を検知するためのセンサである。例えば、人感センサによって人の存在を示す検知信号（人感信号）が検知されると、照明用光源１２０が発光する。照度センサは、照明装置１の周囲の光照度を検知するためのセンサである。例えば、照度センサによって照度を示す検知信号（照度信号）が検知され、その検知信号による照度値が所定の照度値よりも低い場合、照明用光源１２０が発光する。
【００３５】
イオン放出ユニット２００は、照明装置１が設置された空間領域にイオンを放出させる機能を有する装置である。イオン放出ユニット２００からイオンを一定時間放出させることで、空間領域を脱臭・消臭したり、アレルゲンやウイルス等を不活化したり、空間領域内のカビや細菌等を除菌したりできる。なお、住宅の２畳程度の空間領域で９０％の脱臭効果を得るには、ナノイーを約８時間程度放出させるとよい。
【００３６】
イオン放出ユニット２００は、第２の電源・制御ブロック２１０と、イオン生成ブロック２２０と、表示用光源２３０と、送風機２４０とを有する。
【００３７】
第２の電源・制御ブロック２１０は、イオン生成ブロック２２０及び送風機２４０を動作させるための電力を生成するとともに表示用光源２３０を発光させるための電力を生成する電源機能を有するとともに、表示用光源２３０の動作表示態様（発光状態）を制御する制御機能を有する。
【００３８】
第２の電源・制御ブロック２１０の電力供給源は、第１の電源・制御ブロック１１０である。つまり、第２の電源・制御ブロック２１０には、第１の電源・制御ブロック１１０から交流電力が供給される。具体的には、第２の電源・制御ブロック２１０に供給される交流電力は、第１の電源・制御ブロック１１０のＬＯＤ端子及び端子台３００の一方の端子から供給される。この構成により、イオン放出ユニット２００の電源供給の構成を簡素化することができる。しかも、第２の電源・制御ブロック２１０と第１の電源・制御ブロック１１０とで電源が共用化されているので、ノイズ、サージ及び突入電流等の対策回路を第１の電源・制御ブロック１１０に実装することで、後段側の第２の電源・制御ブロック２１０での上記対策回路を簡素化できる。つまり、第１の電源・制御ブロック１１０と第２の電源・制御ブロック２１０とで上記対策回路を共用化できる。
【００３９】
また、本実施の形態では、第２の電源・制御ブロック２１０から第１の電源・制御ブロック１１０に電力を供給する際に、ディレー時間が設定されている。これにより、イオン放出ユニット２００側のリセットが可能となるので、誤動作を防止することができる。
【００４０】
第２の電源・制御ブロック２１０は、イオン生成ブロック２２０及び送風機２４０を動作させるために、イオン生成ブロック２２０及び送風機２４０の各々に所定の電力を供給する。また、第２の電源・制御ブロック２１０は、表示用光源２３０を発光させるために表示用光源２３０に所定の電力を供給する。具体的には、第２の電源・制御ブロック２１０は、端子台３００の一方の端子及び第１の電源・制御ブロック１１０のＬＯＤ端子から供給される交流電力を直流電力に変換し、この直流電力が表示用光源２３０に供給されることで表示用光源２３０が発光する。
【００４１】
また、第２の電源・制御ブロック２１０は、イオン生成ブロック２２０及び送風機２４０を制御する。例えば、第２の電源・制御ブロック２１０は、イオン生成ブロック２２０及び送風機２４０の運転開始及び運転停止（つまり、イオンの放出時間）の制御を行ったり、イオン放出ユニット２００から放出されるイオンの量の制御を行ったりする。さらに、第２の電源・制御ブロック２１０は、表示用光源２３０に対して、調光制御や調色制御を行ったり点滅制御を行ったりフラッシュ点灯制御を行ったりすることで表示用光源２３０の照明態様を変更する。
【００４２】
第２の電源・制御ブロック２１０は、実装基板と、実装基板に実装された複数の回路素子によって構成されている。
【００４３】
具体的には、第２の電源・制御ブロック２１０を構成する複数の回路素子には、イオン生成ブロック２２０及び送風機２４０を駆動させるための駆動回路を構成する駆動回路素子が含まれる。この駆動回路素子には、イオン生成ブロック２２０及び送風機２４０を動作させるための電力を生成する電源回路を構成する電源回路素子と、イオン生成ブロック２２０及び送風機２４０を制御するための制御回路を構成する制御回路素子とが含まれる。なお、イオン生成ブロック用の駆動回路素子と送風機用の駆動回路素子とは同じ実装基板に実装されていてもよいし、別々の実装基板に実装されていてもよい。
【００４４】
また、第２の電源・制御ブロック２１０を構成する複数の回路素子には、表示用光源２３０を発光させるための電力を生成する電源回路を構成する電源回路素子と、表示用光源２３０の照明態様を制御する制御回路を構成する制御回路素子とが含まれている。
【００４５】
イオン生成ブロック２２０は、イオンを生成するためのイオン生成器である。本実施の形態では、イオン生成ブロック２２０は、ナノイーを生成する。具体的には、イオン生成ブロック２２０は、水補給レスでナノイーを生成する。この場合、イオン生成ブロック２２０は、例えば、針状放電極と、針状放電極に高電圧（例えば、約６０００Ｖ）を印加する高電圧発生回路と、針状放電極を冷却するペルチェ素子とを有するイオン発生部を有する。針状放電極は、ペルチェ素子のペルチェ効果によって冷却されることにより結露する。高電圧発生回路が針状放電極に結露した空気中の水分に高電圧を印加することにより、霧化したナノイーを発生させることができる。イオン生成ブロックにより生成されたイオン（ナノイー）は、筐体１０に設けられたスリット１１から筐体１０に外部に放出する。本実施の形態では、イオン生成ブロック２２０の前段に送風機２４０が配置されているので、送風機２４０によって取り込まれた外気とともり筐体１０の外部に吹き出される。
【００４６】
このように構成されるイオン生成ブロック２２０は、第２の電源・制御ブロック２１０から供給される電力によって動作する。つまり、第２の電源・制御ブロック２１０からイオン生成ブロック２２０に電力が供給されることでイオンが生成される。
【００４７】
表示用光源２３０は、イオン生成ブロック２２０の動作状態を示す動作表示態様で発光する。つまり、表示用光源２３０は、イオン生成ブロック２２０の動作状態を示すインジケータである。
【００４８】
表示用光源２３０としては、例えば、砲弾型ＬＥＤ素子を用いることができるが、これに限るものではなく、ＳＭＤ（Ｓｕｒｆａｃｅ  Ｍｏｕｎｔ  Ｄｅｖｉｃｅ）タイプのパッケージ型のＬＥＤ素子を用いてもよいし、小型のＣＯＢタイプのＬＥＤモジュールを用いてもよい。表示用光源２３０は、例えば青色又は緑色等の有色光を発するが、これに限るものではない。また、照明用光源１２０は、一定の光出力で単色光を発するものであるが、調光及び調色の制御が可能な構造であってもよい。表示用光源２３０は、筐体１０内の所定の位置に固定される。
【００４９】
表示用光源２３０は、照明装置１によるイオンの放出有無が分かるように、第２の電源・制御ブロック２１０から供給される電力によって所定の動作表示態様で発光する。例えば、表示用光源２３０は、イオン放出ユニット２００及び照明ユニット１００が正常に動作している場合、第２の電源・制御ブロック２１０から供給される電力によって第１の動作表示態様で発光する。
【００５０】
つまり、表示用光源２３０の第１の動作表示態様は、イオン生成ブロック２２０及び送風機２４０が正常に駆動してイオン放出ユニット２００からイオンが放出されていることを示す態様である。例えば、第１の動作表示態様で表示用光源２３０を発光させる場合、表示用光源２３０を通常発光させる。一例として、表示用光源２３０が砲弾型青色ＬＥＤ素子である場合、表示用光源２３０は、第１の動作表示態様として一定の光出力の青色光で発する。このように表示用光源２３０が第１の動作表示態様で発光することで、ユーザはイオン放出ユニット２００からイオンが放出されていることが分かる。
【００５１】
また、表示用光源２３０は、照明ユニット１００で異常が発生した場合、第２の電源・制御ブロック２１０から供給される電力によって、第１の動作表示態様とは異なる第２の動作表示態様で発光する。
【００５２】
表示用光源２３０の第２の照明態様は、第１の動作表示態様の明るさとは異なる明るさ、第１の動作表示態様の光色とは異なる光色、点滅又はフラッシュ点灯等である。本実施の形態において、表示用光源２３０の第２の照明態様は、点滅である。この場合、第２の電源・制御ブロック２１０から表示用光源２３０に点滅制御信号を送信することで、第２の照明態様として表示用光源２３０を規則的に点滅させることができる。また、表示用光源２３０が調光及び調色の制御が可能である場合、第２の電源・制御ブロック２１０によって表示用光源２３０を調光又は調色することで、第１の動作表示態様の明るさとは異なる明るさの第２の動作表示態様で表示用光源２３０を発光させたり、第１の動作表示態様の光色（色度、色温度）とは異なる光色の第２の動作表示態様で表示用光源２３０を発光させたりできる。
【００５３】
送風機２４０は、イオン生成ブロック２２０で生成されたイオンを送風する送風ファンである。具体的には、送風機２４０は、イオン生成ブロック２２０で生成されたイオンを照明装置１の外部に拡散させるための気流を発生させるためのものである。つまり、送風機２４０は、イオン生成ブロック２２０で生成されたイオンの拡散を送風によってアシストする。送風機２４０は、例えば、ケーシングとケーシング内に配置された羽根車と羽根車を回転させるモータとを有しており、照明装置１の外部の空気（外気）を吸い込んで吐き出す。送風機２４０を動作させると、筐体１０に設けられた吸込口から外気が筐体１０内に吸引され、イオン生成ブロック２２０で生成されたイオンとともに、吸引された外気が筐体１０のスリット１１から筐体１０の外部に放出される。
【００５４】
また、筐体１０内には、送風機２４０により吸引される外気が通過するフィルタ４００が設けられている。フィルタ４００は、例えば、筐体１０の吸込口と送風機２４０との間に配置される。フィルタ４００に外気を通過させることで、外気に含まれる埃や塵等をフィルタ４００に吸着させて取り除くことができる。
【００５５】
端子台３００は、電線等によって商用電源に接続されている。また、端子台３００と商用電源とは、壁スイッチ２を介して電気的に接続されている。つまり、照明装置１と商用電源とは、壁スイッチ２を介して電気的に接続されている。
【００５６】
ここで、本実施の形態における照明装置１の動作について、図２を参照しながら以下に説明する。
【００５７】
照明装置１は、壁スイッチ２により動作する。例えば、図２に示される壁スイッチ２が押下されることで照明用光源１２０が第１の照明態様で発光して照明装置１から照明光が照射されるとともに、イオン生成ブロック２２０でイオンが生成されて照明装置１からイオンが放出される。
【００５８】
具体的には、ユーザが壁スイッチ２を押すと、商用電源から照明装置１の端子台３００に交流電力が供給される。端子台３００に供給された交流電力は、第１の電源・制御ブロック１１０のＨ端子およびＮ端子に入力される。第１の電源・制御ブロック１１０は、端子台３００からの交流電力を直流電力に変換し、照明用光源１２０に出力する。これにより、照明用光源１２０が第１の照明態様で発光する。
【００５９】
なお、照明用光源１２０への電力供給を開始してから一定時間（例えば１０分）が経過した場合、第１の電源・制御ブロック１１０は照明用光源１２０への電力供給を停止させる。つまり、照明用光源１２０の第１の照明態様での発光が一定時間経過した場合、照明用光源１２０を自動的に消灯させる。
【００６０】
一方、ユーザが壁スイッチ２を押すと、端子台３００と第１の電源・制御ブロック１１０のＬＯＤ端子とを介して第２の電源・制御ブロック２１０にも交流電力が供給される。第２の電源・制御ブロック２１０は、イオン生成ブロック２２０、送風機２４０及び表示用光源２３０への電力供給を行う。これにより、イオン生成ブロック２２０及び送風機２４０が駆動してイオン放出ユニット２００からイオンが放出されると同時に、表示用光源２３０が第１の動作表示態様で発光する。表示用光源２３０が第１の動作表示態様で発光することで、ユーザはイオン放出ユニット２００からイオンが放出されていることが分かる。
【００６１】
なお、イオン生成ブロック２２０、送風機２４０及び表示用光源２３０への電力供給を開始してから一定時間（例えば１０時間）は、イオン放出ブロック２００がオン状態となってイオンを放出し続けるが、一定時間経過した場合、第２の電源・制御ブロック２１０は、イオン生成ブロック２２０、送風機２４０及び表示用光源２３０への電力供給を停止させる。これにより、イオン放出ユニット２００からのイオン放出を自動的に停止させるとともに、表示用光源２３０を自動的に消灯させる。表示用光源２３０消灯することで、ユーザは、イオン生成ブロック２２０及び送風機２４０が駆動しておらずにイオン放出ユニット２００からイオンが放出されていないことが分かる。
【００６２】
また、照明装置１は、ユーザが壁スイッチ２を押さなくても、照明センサブロック１３０で所定の検知信号を検知することでも動作する。例えば、検知信号として照明センサブロック１３０の照度センサにより照明装置１の周辺の照度が所定の閾値よりも低い値の信号が検知される状態で、さらに検知信号として照明センサブロック１３０の人感センサにより照明装置１の周辺に人が存在することが検知された場合、第１の電源・制御ブロック１１０によって照明用光源１２０が第１の照明態様で自動的に発光する。
【００６３】
なお、本実施の形態では、表示用光源２３０の発光開始とイオン放出ユニット２００のイオン放出開始とを同時に行ったが、表示用光源２３０の発光継続時間（例えば１０分）とイオン放出ユニット２００のイオン放出継続時間（例えば１０時間）とは大きく異なるので、表示用光源２３０の発光開始とイオン放出ユニット２００のイオン放出開始とは必ずしも同時に行う必要はない。
【００６４】
次に、本実施の形態における照明装置１の特徴的な制御について、図２を参照しながら、図３及び図４を用いて説明する。図３は、実施の形態に係る照明装置１における照明用光源１２０が第１の照明態様及び第２の照明態様で発光する様子を示す図である。図４は、実施の形態に係る照明装置１における表示用光源２３０が第２の動作表示態様で発光する様子を示す図である。
【００６５】
本実施の形態における照明装置１において、第１の電源・制御ブロック１１０は、イオン放出ユニット２００で異常が発生した場合に、第１の照明態様とは異なる第２の照明態様で照明用光源１２０を発光させる。具体的には、イオン放出ユニット２００に異常が発生すると、図２に示すように、第２の電源・制御ブロック２１０から第１の電源・制御ブロック１１０に、信号線を介してイオン放出ユニット２００が異常であることを示す第１の異常信号Ｓ１が入力される。これにより、第１の電源・制御ブロック１１０は、イオン放出ユニット２００で異常が発生したと判断し、照明用光源１２０を第２の照明態様で発光させる。
【００６６】
本実施の形態において、照明用光源１２０の第２の照明態様は、照明用光源１２０の第１の照明態様の明るさよりも暗い明るさである。つまり、第２の照明態様における照明光は第１の照明態様における照明光を減光したものである。したがって、イオン放出ユニット２００が正常に動作している場合には、図３（ａ）に示すように、照明用光源１２０は第１の照明態様（１００％調光）で発光し、イオン放出ユニット２００に異常が発生した場合には、図３（ｂ）に示すように、照明用光源１２０は第２の照明態様（例えば５０％調光）で発光する。これにより、ユーザは、通常の第１の照明態様よりも照明装置１の照明光が暗くなったと感じるので、イオン放出ユニット２００に何らかの異常が発生していることを認識することができる。
【００６７】
イオン放出ユニット２００の異常は、例えば、フィルタ４００が目詰まり状態になっていることである。つまり、フィルタ４００が目詰まり状態になると、第１の電源・制御ブロック１１０は、第２の照明態様で照明用光源１２０を発光させる。
【００６８】
また、イオン放出ユニット２００の異常は、イオン放出ユニット２００内の温度が所定の閾値を超えたことであってもよいし、イオン放出ユニット２００が故障したことであってもよいし、イオン放出ユニット２００の寿命残存期間が所定の閾値を下回ったことであってもよい。これらの場合にも、第１の電源・制御ブロック１１０は、第２の照明態様で照明用光源１２０を発光させる。
【００６９】
一方、第２の電源・制御ブロック２１０は、照明ユニット１００で異常が発生した場合には、第１の動作表示態様とは異なる第２の動作表示態様で表示用光源２３０を発光させる。具体的には、照明ユニット１００に異常が発生すると、図２に示すように、第１の電源・制御ブロック１１０から第２の電源・制御ブロック２１０に、信号線を介してイオン放出ユニット２００が異常であることを示す第２の異常信号Ｓ２が入力される。これにより、第２の電源・制御ブロック２１０は、照明ユニット１００で異常が発生したと判断し、表示用光源２３０を第２の動作表示態様で発光させる。
【００７０】
本実施の形態において、表示用光源２３０の第２の動作表示態様は、点滅である。したがって、照明ユニット１００に異常が発生した場合には、表示用光源２３０は、図４（ａ）の点灯状態と図４（ｂ）の消灯状態とが一定時間繰り返される。これにより、ユーザは、通常の第１の表示動作態様とは異なる態様で表示用光源２３０が点灯していると感じるので、照明ユニット１００に何らかの異常が発生していることを認識することができる。
【００７１】
なお、照明ユニット１００の異常は、例えば、照明ユニット１００内の温度が所定の閾値を超えたことである。また、照明ユニット１００の異常は、照明ユニット１００が故障したことであってもよいし、照明ユニット１００の寿命残存期間が所定の閾値を下回ったことであってもよい。
【００７２】
このように、本実施の形態における照明装置１では、照明ユニット１００とイオン放出ユニット２００とは、第１の電源・制御ユニット１１０と第２の電源・制御ユニット２１０とに接続された信号線によって互いの動作情報を共有しており、一方に発生した異常を他方に知らせて、既設の照明用光源１２０及び表示用光源２３０を利用して、その異常をユーザに認識させている。
【００７３】
以上、本実施の形態に係る照明装置１は、照明光を照射する照明ユニット１００と、イオンを放出するイオン放出ユニット２００とを備える。照明ユニット１００は、第１の電源・制御ブロック１１０と、第１の電源・制御ブロック１１０から供給される電力によって第１の照明態様で発光する照明用光源１２０とを有する。イオン放出ユニット２００は、第２の電源・制御ブロック２１０と、第２の電源・制御ブロック２１０から供給される電力によって動作するイオン生成ブロック２２０と、イオン生成ブロック２２０の動作状態を示す第１の動作表示態様で発光する表示用光源２３０とを有する。そして、第１の電源・制御ブロック１１０は、イオン放出ユニット２００で異常が発生した場合に、第１の照明態様とは異なる第２の照明態様で照明用光源１２０を発光させ、第２の電源・制御ブロック２１０は、照明ユニット１００で異常が発生した場合に、第１の動作表示態様とは異なる第２の動作表示態様で表示用光源２３０を発光させる。
【００７４】
この構成により、照明ユニット１００が正常であってもイオン放出ユニット２００に異常が発生していれば、イオン放出ユニット２００に異常が発生していることをユーザに認識させることができる。逆に、イオン放出ユニット２００が正常であっても照明ユニット１００に異常が発生していれば、照明ユニット１００に異常が発生していることをユーザに認識させることができる。このように、本実施の形態における照明装置１によれば、照明ユニット１００の異常及びイオン放出ユニット２００の異常をユーザに速やかに認識させることができる。したがって、ユーザは、その異常が解消する対処を速やかに行うことができる。
【００７５】
また、本実施の形態における照明装置１において、イオン放出ユニット２００は、さらに、イオン生成ブロック２２０で生成されたイオンを送風する送風機２４０を備える。
【００７６】
この構成により、イオン生成ブロック２２０で生成されたイオンを効率良く照明装置１の周辺に拡散させることができる。
【００７７】
また、本実施の形態における照明装置１は、さらに、送風機２４０により吸引される外気が通過するフィルタ４００を備えており、イオン放出ユニット２００の異常は、フィルタ４００が目詰まり状態であることである。
【００７８】
フィルタ４００が目詰まり状態になると、送風機２４０によるイオンの送風能力が低下し、イオン放出ユニット２００から放出されるイオンの量が低下したりイオンが拡散しにくくなったりする。このため、イオン放出ユニット２００のイオン放出性能を維持しようとして、イオン放出ユニット２００では、送風機２４０の送風能力を大きくしたりイオン生成ブロック２２０で生成されるイオンの量を多くしたりするので、送風機２４０及びイオン生成ブロック２２０への投入電力が増加する。このため、イオン放出ユニット２００の内部温度が上昇し、この結果、イオン放出ユニット２００の寿命が低下したりイオン放出ユニット２００が故障したりする。
【００７９】
これに対して、本実施の形態では、フィルタ４００が目詰まり状態になると、イオン放出ユニット２００で異常が発生したと判断され、照明用光源１２０が第２の照明態様で発光する。
【００８０】
この構成により、ユーザは、フィルタ４００が目詰まり状態になっていると認識することができるので、フィルタ４００を交換したりフィルタ４００を洗浄したりすることができる。これにより、イオン放出ユニット２００の寿命が低下したりイオン放出ユニット２００が故障したりすることを抑制できる。
【００８１】
しかも、本実施の形態では、照明用光源１２０を第２の照明状態で発光させる場合、第１の照明状態よりも減光して発光している。これにより、照明用光源１２０への投入電力が小さくなるので、照明ユニット１００の内部温度が低下する。したがって、フィルタ４００の目詰まりによってイオン放出ユニット２００の内部温度が上昇しても、照明ユニット１００の内部温度を低下させることができるので、照明装置１全体として温度バランスをとることができる。つまり、仮にフィルタ４００が目詰まり状態が継続してイオン放出ユニット２００の内分温度が上昇したとしても、照明ユニット１００の内部温度を低下させることで、照明装置１全体としての温度上昇を抑制できる。これにより、温度上昇に伴って照明装置１の寿命が低下したり照明装置１が故障したりすること抑制できる。
【００８２】
また、本実施の形態における照明装置１において、イオン放出ユニット２００の異常は、イオン放出ユニット２００内の温度が所定の閾値を超えたこと、又は、イオン放出ユニット２００が故障したことであってもよい。
【００８３】
この構成により、イオン放出ユニット２００内の温度が所定の閾値を超えた場合、又は、イオン放出ユニット２００が故障した場合に、イオン放出ユニットで異常が発生したと判断され、照明用光源１２０が第２の照明態様で発光する。これにより、イオン放出ユニット２００内の温度が所定の閾値を超えたことをユーザに認識させることができるので、例えば一時的に照明装置１を消灯させたりイオン放出ユニット２００（イオン生成ブロック２２０、送風機２４０）の運転を停止したりして照明装置１の内部温度の上昇を抑制することで、温度上昇に伴う照明装置１の寿命低下を抑制できる。また、照明ユニット１００が正常であってもイオン放出ユニット２００が故障したことをユーザに認識させることができるので、ユーザは照明装置１からイオンが放出されていないこと等を認識できる。これにより、イオン放出ユニット２００を速やかに修理したり交換したりできる。
【００８４】
また、本実施の形態における照明装置１において、イオン放出ユニット２００の異常は、イオン放出ユニット２００の寿命残存期間が所定の閾値を下回ったことである。
【００８５】
この構成により、イオン放出ユニット２００の寿命残存期間が所定の閾値を下回った場合に、イオン放出ユニット２００で異常が発生したと判断され、照明用光源１２０が第２の照明態様で発光する。これにより、ユーザは、イオン放出ユニット２００が寿命が近づいていることを認識することができるので、イオン放出ユニット２００が寿命を迎えて照明装置１からイオンが放出されなくなる前に、イオン放出ユニット２００を交換することができる。したがって、照明装置１から突然イオンが放出されなくなることを回避できるので、イオンによる効果（消臭作用等）を維持することができる。
【００８６】
また、本実施の形態における照明装置１において、照明ユニット１００の異常は、照明ユニット１００内の温度が所定の閾値を超えたこと、又は、照明ユニット１００が故障したことである。
【００８７】
この構成より、照明ユニット１００内の温度が所定の閾値を超えた場合、又は、照明ユニット１００が故障した場合に、照明ユニット１００で異常が発生したと判断され、表示用光源２３０が第２の動作表示態様で発光する。これにより、照明ユニット１００内の温度が所定の閾値を超えたことをユーザに認識させることができるので、例えば一時的に照明装置１を消灯させたりイオン放出ユニット２００（イオン生成ブロック２２０、送風機２４０）の運転を停止したりして照明装置１の内部温度の上昇を抑制することで、温度上昇に伴う照明装置１の寿命低下を抑制できる。また、イオン放出ユニット２００が正常であっても照明ユニット１００が故障したことをユーザに認識させることができるので、照明ユニット１００を速やかに修理したり交換したりできる。
【００８８】
また、本実施の形態における照明装置１において、照明ユニット１００の異常は、照明ユニット１００の寿命残存期間が所定の閾値を下回ったことである。
【００８９】
この構成により、照明ユニット１００の寿命残存期間が所定の閾値を下回った場合に、照明ユニット１００で異常が発生したと判断され、表示用光源２３０が第２の動作表示態様で発光する。これにより、ユーザは、照明ユニット１００の寿命が近づいていることを認識することができるので、照明ユニット１００が寿命を迎えて照明装置１のメイン機能である照明光が照射されなくなる前に、照明ユニット１００を交換することができる。したがって、照明装置１が突然点灯しなくなってしまうことを回避できる。
【００９０】
また、本実施の形態における照明装置１において、第２の照明態様は、第１の照明態様の明るさとは異なる明るさ、第１の照明態様の光色とは異なる光色、点滅又はフラッシュ点灯である。
【００９１】
これにより、ユーザにイオン放出ユニット２００の異常を容易に認識させることができる。
【００９２】
この場合、第２の照明態様は、第１の照明態様の明るさよりも暗い明るさであるとよい。
【００９３】
これにより、照明用光源１２０への投入電力が小さくなるので、照明ユニット１００の内部温度が低下する。したがって、温度上昇に伴う照明装置１の寿命を低下させることなく、ユーザにイオン放出ユニット２００の異常を認識させることができる。
【００９４】
また、本実施の形態における照明装置１において、第２の動作表示態様は、第１の照明態様の明るさとは異なる明るさ、第１の照明態様の光色とは異なる光色、点滅又はフラッシュ点灯である。
【００９５】
これにより、ユーザに照明ユニット１００の異常を容易に認識させることができる。
【００９６】
（変形例）
以上、本発明に係る照明装置について、実施の形態に基づいて説明したが、本発明は、上記実施の形態に限定されるものではない。
【００９７】
例えば、上記実施の形態において、イオン放出ユニット２００は、イオンとしてナノイーを放出したが、これに限るものではなく、プラズマイオン等のその他のイオンを放出してもよいし、ナノイーとプラズマイオン等との複数種のイオンを同時に又は交互に放出してもよい。
【００９８】
また、上記実施の形態において、照明用光源１２０はＣＯＢタイプのＬＥＤモジュールとしたが、これに限るものではない。例えば、照明用光源として、ＳＭＤタイプのＬＥＤモジュールを用いてもよい。ＳＭＤタイプのＬＥＤモジュールは、樹脂製のパッケージ（容器）の凹部の中にＬＥＤチップを実装して当該凹部内に封止部材（蛍光体含有樹脂）を封入したパッケージ型のＬＥＤ素子（ＳＭＤタイプのＬＥＤ素子）を、１個又は複数個、基板に実装した構成である。
【００９９】
また、上記実施の形態において、照明用光源１２０は、青色ＬＥＤチップと黄色蛍光体とによって白色光を放出するＢ−Ｙタイプの白色ＬＥＤ光源としたが、これに限らない。例えば、赤色蛍光体及び緑色蛍光体を含有する蛍光体含有樹脂を用いて、これと青色ＬＥＤチップと組み合わせることによりに白色光を放出するように構成してもよい。また、演色性を高める目的で、黄色蛍光体に加えて、さらに赤色蛍光体や緑色蛍光体を混ぜても構わない。また、青色以外の色を発するＬＥＤチップを用いてもよく、例えば、青色ＬＥＤチップが放出する青色光よりも波長が短い紫外光を放出する紫外ＬＥＤチップを用いて、主に紫外光により励起されて青色光、赤色光及び緑色光を放出する青色蛍光体、緑色蛍光体及び赤色蛍光体によって白色光を放出するように構成してもよい。
【０１００】
その他、上記各実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【０１０１】
１  照明装置
２  壁スイッチ
１００  照明ユニット
１１０  第１の電源・制御ブロック
１２０  照明用光源
１３０  照明センサブロック
２００  イオン放出ユニット
２１０  第２の電源・制御ブロック
２２０  イオン生成ブロック
２３０  表示用光源
【図１】
2018055939.tif 000003
【図２】
2018055939.tif 000004
【図３】
2018055939.tif 000005
【図４】
2018055939.tif 000006